(57)【要約】      （修正有）【課題】重労働であるシーツの交換、洗濯の労力を軽減すべく、部分的に着脱することで、交換し易く、洗濯し易いシーツを提供する。【解決手段】カバー型シーツ本体１において、人間が寝た状態のとき、肩口から胴体にかけた辺り、つまり一番汗等で汚れやすい場所に、スナップボタンバネ側４をとりつけ、一方、バスタオル又は、裏面を防水加工されたタオル布３にスナップボタンゲンコ側５を取り付けて、バスタオル又は裏面を防水加工されたタオル布３を装着、また簡単に脱着できるようにする。こうすることにより、シーツ本体の洗濯回数を減らすことができ、交換、洗濯がバスタオル１枚分で済むことから、日常的に行うことが可能となる。また、替えタオル作成キットを使って、手持ちのバスタオルで替えタオルを作成すれば、安価に何枚でも作成できる。【選択図】図１
0003195003.tif 000002
【実用新案登録請求の範囲】
【請求項１】
布団及びベッドに対し、これを覆うように着脱する袋状又は、ボックス状のカバー型シーツであって、カバー型シーツ本体にスナップボタンのバネ側を取り付け、バスタオル、又は裏面を防水加工されたタオル布に、スナップボタンのゲンコ側を取り付け、カバー型シーツ本体にバスタオル又は裏面を防水加工されたタオル布を、装着できる事を特徴とするカバー型シーツ。
【請求項２】
請求項２のカバー型シーツは請求項１のカバー型シーツにおいて、スナップボタンの左右どちらかの列と平行にさらに１列、その３列の下方延長線上にさらに１段、スナップボタンを付け加えたことを特徴とするカバー型シーツ。
【請求項３】
カバー型シーツに装着するバスタオルの替えタオルを作成するための作成キットであって、スナップボタンのゲンコ側であるパーツのツメリングとゲンコ、打ち具から成る一式。
【考案の詳細な説明】
【技術分野】
【０００１】本考案は、汗や尿等の汚れがシーツ本体に付く前に、それを吸収するためのバスタオル、又は裏面を防水加工されたタオル布を、簡単に着脱できる機能を持った、また、市販のバスタオルを利用できる事を特徴とした、布団及びベッド用カバー型シーツに関するものである。
【背景技術】
【０００２】従来のシーツは、シート状のものと、袋状、ボックス状のカバー型のものがある。また、布団及びベッドの上面を覆う表面部にキルティング等の敷物をゴム紐等で固定するものがある。
【先行技術文献】
【特許文献】
【０００３】該当なし。
【考案の概要】
【考案が解決しようとする課題】
【０００４】従来より、シーツ交換は、重労働であり、洗濯は大物で別洗いしなければならず、干し場も広く必要とする。そのため、日常的にシーツを交換、洗濯するのは難儀である。【０００５】そこで本考案は、従来はシーツ全体を交換していたところを、部分的に交換することによって、作業労力を大幅に軽減することを目的とする。
【課題を解決するための手段】
【０００６】請求項１に記載のカバー型シーツは、カバー型シーツ本体にスナップボタンの凹いわゆるバネ側を、バスタオル、又は裏面を防水加工されたタオル布に、スナップボタンの凸いわゆるゲンコ側を取り付け、カバー型シーツに、バスタオル又は裏面を防水加工されたタオル布を、装着できる事を特徴とする。【０００７】また、請求項３として、替えタオルの作成キットを作る。
内容は、スナップボタンのゲンコ側となるツメリングとゲンコを１組として、１０〜２０組程度と、たたいて取り付ける時に使用する金属性の打ち具とする。このキットの特徴は、スナップとしては不完全な、ゲンコ側のみというところである。【０００８】請求項２に記載のカバー型シーツは、請求項１の考案において、替えバスタオルを、替えタオル作成キットで作成する場合、市販品の均一ではないバスタオルのサイズに合わせるため、スナップボタンの列と段を加えたことを特徴とする。
【考案の効果】
【０００９】本考案のカバー型シーツによれば、従来より重労働であるシーツ本体の交換、洗濯の回数を大幅に減らすことができ、普段の交換、洗濯がバスタオル１枚で済むことから、日常的に行うことができる。よって、衛生的、快適さを保つことができる。
【考案を実施するための形態】
【００１０】以下に本考案に係るカバー型シーツの実施形態について、図面に基づいて説明する。
【００１１】（図１）は、スナップボタンバネ側４を取り付けた、カバー型シーツ１を、布団またはベッドに被せた状態を示す平面図（ａ）及びカバー型シーツ１に装着するための、スナップボタンゲンコ側５を取り付けた、バスタオル又は裏面を防水加工されたタオル布３の平面図（ｂ）である。
【００１２】本考案のカバー型シーツに装着するバスタオルの位置についてであるが、人が寝た時、頭から足に向かう方向を縦とし、頭にあたる方を上部とした時、平面図（ａ）カバー型シーツ１の上部縁部１ａから３０ｃｍ〜４０ｃｍ程度下がった辺りにバスタオル３の上部縁部３ａがくるよう、また、バスタオル３は、平面図（ａ）カバー型シーツ１の縦の縁部１ｂに対し、平行に縦長に配し、横方向の位置は、中央に置く。
【００１３】スナップボタンの位置についてであるが、バスタオル３の縦方向の縁部３ｂに添って、上下の折り返し縫いの厚い部分６をさけ、そのすぐ内側から等間隔で５〜６箇所程度、縦の縁部３ｂから１ｃｍ程度内側に、左１列、右１列配置する。この配置に従い、カバー型シーツ１には、スナップボタンのバネ側を、バスタオル３にはスナップボタンのゲンコ側を、それぞれ縦に５〜６個程度、左１列、右１列取り付ける。
裏面を防水加工されたタオル布もそれにならう。
【００１４】また、尿漏れ対策として使用する場合に備え、裏面を防水加工されたタオル布を腰の位置で、横向きに装着できるように、スナップの列を取り付けても良い。
【００１５】スナップのサイズと種類であるが、サイズは、１０ｍｍ〜１２ｍｍ程度、種類は、一般的にスナップボタン又はリングスナップボタンと呼ばれる物で、金属製のツメのパーツとゲンコ又はバネのパーツ、この２つのパーツで布を挟み込んで取り付けるタイプのものを用いる。ただし、スナップボタンに限定されるものではなく、縫い付けるタイプのものでも良い。なお、スナップを取り付ける場所に、補強用の当て布を付けてもよい。
【００１６】請求項２のカバー型シーツ２（図３）は、作成キット（図４）を用い、自宅で替えタオルを作成した場合、均一ではない市販のバスタオルのサイズに近づけるため、スナップボタンの列と段４ｂを加えたものである。
請求項１のカバー型シーツ１のスナップの縦列４、左右どちらかと平行に、５ｃｍ〜１０ｃｍ程度の間隔をとって１列４ｂスナップボタンバネ側を取り付ける。また、スナップの列４、４ｂの下方延長線上に、１０ｃｍ〜１５ｃｍ程度の間隔をとって更に１段、４ｂスナップボタンバネ側を取り付ける。
【００１７】替えタオルの作成の仕方であるが、カバー型シーツ１（図１）あるいは、サイズ合わせのスナップ列を加えたカバー型シーツ２（図３）の上に、使おうとするバスタオルを乗せるなどして、（カバー型シーツ２を使用する場合は、なるべく無駄のないスナップ列を選び）、上下、左右、均等になる様位置を決め、バスタオルに、スナップの位置をしるし、（図４）のキットで、ゲンコを取り付ける。
【００１８】（図４）替えタオル作成キットにある５ａ、５ｂ、８は、手芸店でも販売されており、認知されているものであるから、簡単に使い方を説明する。（図５）まず、ツメリング５ａのツメをタオル地の裏側から、突き刺してタオル地から出し、上向けて（ｅ）そのツメの上にゲンコを上向きにのせ（ｆ）打ち具をあて（ｇ）カナヅチで上からたたき（ｈ）ツメとゲンコをしっかり固定一体化させる。
【００１９】バスタオル３の上部左右それぞれに、上部縁部３ａから縦縁部３ｂにかけて、斜めにゴム紐７を取り付ける。ゴム紐７の使い方は、バスタオルを装着するとき、その位置を、（図２）（ｃ）からスナップ一段分上にずらして、余ったタオル部分を枕に被せ、ゴム紐７を枕の後ろに回して固定するときに使う（ｄ）枕カバーとしての機能も兼ねることができる。
【図面の簡単な説明】
【００２０】
【図１】（ａ）は布団及びベッドに被せた状態のカバー型のシーツであり、バスタオルを装着するためのスナップボタンバネ側を取り付けたものの、平面図である。（ｂ）は（ａ）に装着するバスタオル、又は裏面を防水加工されたタオル布であり、シーツ本体に装着するためのスナップボタンゲンコ側を取り付けたものの、平面図である。
【図２】（ｃ）はバスタオルを装着した基本的な使用状態の平面図である。（ｄ）は（ｃ）からバスタオルの装着位置をスナップボタン一段分上にずらして、余ったタオル部分を、枕カバーとして使う状態の平面図である。
【図３】替えタオル作成キットを使い、市販品で替えタオルを作成、使用する場合の、サイズ合わせ用のスナップの列と段を（図１）（ａ）に付け加えたカバー型シーツの平面図である。
【図４】替えタオル作成キット一式の概略斜視図である。
【図５】替えタオル作成キットの作成方法を説明する側面図である。
【符号の説明】
【００２１】１  ・・・・カバー型シーツ本体（スナップボタンバネ側付き）
１ａ・・・・カバー型シーツ上部縁部
１ｂ・・・・カバー型シーツ縦縁部
２  ・・・・サイズ合わせ用スナップを追加したカバー型シーツ本体
３  ・・・・バスタオル、又は裏面を防水加工されたタオル布本体（スナップボタンゲン            コ側付き）
３ａ・・・・バスタオル、又は裏面を防水加工されたタオル布上部縁部
３ｂ・・・・バスタオル、又は裏面を防水加工されたタオル布縦縁部
４  ・・・・スナップボタン（バネ側）
４ａ・・・・サイズ合わせ用スナップボタン（バネ側）
５  ・・・・スナップボタン（ゲンコ側）
５ａ・・・・ゲンコのパーツのツメリング（替えタオル作成キット）
５ｂ・・・・ゲンコのパーツのゲンコ（替えタオル作成キット）
６  ・・・・バスタオル上下縁折り返し縫い部分
７  ・・・・バスタオル上部左右ゴム紐
８  ・・・・打ち具（替えタオル作成キット）
ｅ、ｆ、ｇ、ｈ・・・替えタオル作成キットのゲンコ取り付け作業工程
ｉ、ｊ・・・拡大図
【図１】
0003195003.tif 000003
【図２】
0003195003.tif 000004
【図３】
0003195003.tif 000005
【図４】
0003195003.tif 000006
【図５】
0003195003.tif 000007
【手続補正書】
【提出日】平成26年10月1日(2014.10.1)
【手続補正１】
【補正対象書類名】明細書
【補正対象項目名】００１６
【補正方法】変更
【補正の内容】
【００１６】請求項２のカバー型シーツ２（図３）は、作成キット（図４）を用い、自宅で替えタオルを作成した場合、均一ではない市販のバスタオルのサイズに近づけるため、スナップボタンの列４ａと段４ａを加えたものである。
請求項１のカバー型シーツ１のスナップボタンの縦列４、左右どちらかと平行に５ｃｍ〜１０ｃｍ程度の間隔をとって１列４ａ、スナップボタンバネ側を取り付ける。また、スナップボタンの列４，４ａの下方延長線上に、１０ｃｍ〜１５ｃｍ程度の間隔をとって更に１段４ａ、スナップボタンバネ側を取り付ける。
【手続補正２】
【補正対象書類名】実用新案登録請求の範囲
【補正対象項目名】請求項２
【補正方法】変更
【補正の内容】
【請求項２】
請求項１のカバー型シーツにおいて、スナップボタンの左右どちらかの列と平行にさらに１列、その３列の延長線上にさらに１段、スナップボタンを付け加えたことを特徴とするカバー型シーツ。